(57)【特許請求の範囲】
【請求項１】
冷媒が蒸発、圧縮、凝縮、膨張の４行程で循環する冷凍サイクルに用いられ、高圧側の冷媒流路を列設した高圧側扁平管と、低圧側の冷媒流路を列設した低圧側扁平管と、を具備する内部熱交換器であって、
上記高圧側扁平管はＵ字状に屈曲されると共に、両端側の冷媒流入口側端部及び冷媒流出側端部が共に同一方向に円弧部を介して直状に傾斜して設けられ、
上記低圧側扁平管はＵ字状に屈曲されると共に、両端側の冷媒流入口側端部及び冷媒流出側端部が反対方向に円弧部を介して直状に傾斜して設けられ、
上記高圧側扁平管が上記低圧側扁平管に対して内側に配置され、上記高圧側扁平管及び低圧側扁平管のそれぞれの冷媒流入口側端部及び冷媒流出口側端部がヘッダーパイプに設けられたスリットを介してヘッダーパイプ内に挿入され、上記高圧側扁平管の冷媒流入口側端部に接続されるヘッダーパイプと、上記低圧側扁平管の冷媒流出口側端部に接続されるヘッダーパイプが、略同一線上に位置して膨張弁に取付可能なコネクタによって連結され、上記高圧側扁平管の冷媒流出口側端部に接続されるヘッダーパイプと、上記低圧側扁平管の冷媒流入口側端部に接続されるヘッダーパイプが、略同一線上に位置して膨張弁に取付可能なコネクタによって連結され、上記高圧側扁平管、低圧側扁平管、ヘッダーパイプ及びコネクタがろう材を介して一体接合されてなり、
上記高圧側扁平管及び低圧側扁平管の冷媒流入口側端部の上記ヘッダーパイプ内への差し込み量が、ヘッダーパイプの内径の１５％〜３５％であり、
上記高圧側扁平管及び低圧側扁平管の厚さが８ｍｍ以下で、かつ、上記扁平管の厚さと幅の比が、１：４〜１：６であり、
上記高圧側扁平管の屈曲半径（Ｒ）、上記高圧側扁平管の厚さ（ｔ１）及び上記低圧側扁平管の厚さ（ｔ２）との関係が、２．５≦Ｒ／（ｔ１＋ｔ２）／２≦４．５、かつ、１≦ｔ２／ｔ１≦３／２である、
ことを特徴とする内部熱交換器。
【請求項２】
請求項１記載の内部熱交換器において、
上記高圧側扁平管に列設される冷媒流路の面積（Ａ１）と、上記低圧側扁平管に設けられる冷媒流路の面積（Ａ２）とが、１≦Ａ２／Ａ１≦４である、ことを特徴とする内部熱交換器。
【請求項３】
請求項１又は２に記載の内部熱交換器において、
上記ヘッダーパイプはろう材がクラッドされている、ことを特徴とする内部熱交換器。
【発明の詳細な説明】
【技術分野】
【０００１】
この発明は、冷媒を蒸発、圧縮、凝縮、膨張の４行程で循環する冷凍サイクルにおける内部熱交換器に関するものである。
【背景技術】
【０００２】
一般に、車両用空調装置の冷媒回路によって例えば二酸化炭素等の冷媒を蒸発、圧縮、凝縮、膨張の４行程で循環する冷凍サイクルが形成されている。この冷媒回路において、高温高圧の冷媒と低温低圧の冷媒とを熱交換する内部熱交換器が使用されている。この内部熱交換器は、凝縮器で凝縮された高温高圧冷媒と、圧縮機に戻される低温低圧冷媒との間で熱交換を行うものである。
【０００３】
従来のこの種の内部熱交換器には、それぞれ冷媒流路を列設した高圧側扁平管と低圧側扁平管とを積層してろう付けしたものが使用されている。また、この種の内部熱交換器において、限られたスペース内で冷媒流路を長くするために、高圧側扁平管と低圧側扁平管をＵ字型に形成して、高圧側扁平管と低圧側扁平管の冷媒流入口側端部と冷媒流出口側端部をヘッダータンクに接合している（例えば、特許文献１，２参照）。
【０００４】
このうち、特許文献１に記載のものにおいては、Ｕ字型がヘッダータンク内の冷媒流通方向に対して直角な平面で切った断面が、３つの直線部とこれらを繋ぐ曲線からなる形状に形成されており、高圧側帯板チューブを低圧側帯板チューブの内側に配置して成型されている。
【０００５】
また、特許文献２に記載のものにおいては、それぞれ冷媒流路を列設した高圧側の第１流路層と低圧側の第２流路層とをろう付けしたチューブ体をＵ字状に折り曲げて内部熱交換器を形成している。
【先行技術文献】
【特許文献】
【０００６】
【特許文献１】特開２００２−３４０４８５号公報（請求項４、段落００１６，００３５、図３）
【特許文献２】特開２００２−９８４８６号公報（段落００９０、図８）
【発明の概要】
【発明が解決しようとする課題】
【０００７】
しかしながら、特許文献１に記載のＵ字型の内部熱交換器においては、Ｕ字型がヘッダータンク内の冷媒流通方向に対して直角な平面で切った断面が、３つの直線部とこれらを繋ぐ曲線からなる形状に形成されるため、冷媒流路を長くするためには、占有スペースを広くする必要がある。また、冷媒流路が３つの直線部とこれらを繋ぐ曲線からなるため、冷媒の圧力損失が生じる虞ある。
【０００８】
また、特許文献２に記載のＵ字状の内部熱交換器においては、特許文献１に記載のものに比べて曲線部が少ないため、冷媒の圧力損失を抑制することができる。しかし、特許文献２の熱交換器は、高圧側の第１流路層と低圧側の第２流路層とをろう付けしたチューブ体をＵ字状に折り曲げて成形するため、曲げ加工により屈曲部に歪みが蓄積され、この歪みが起因して破損や流路変形による圧力損失増大が生じる虞がある。
【０００９】
この発明は上記事情に鑑みてなされたもので、圧力損失を抑制した小型で熱交換効率の優れた内部熱交換器を提供する。
【課題を解決するための手段】
【００１０】
上記課題を達成するために、この発明の内部熱交換器は、冷媒が蒸発、圧縮、凝縮、膨張の４行程で循環する冷凍サイクルに用いられ、高圧側の冷媒流路を列設した高圧側扁平管と、低圧側の冷媒流路を列設した低圧側扁平管と、を具備する内部熱交換器であって、  上記高圧側扁平管はＵ字状に屈曲されると共に、両端側の冷媒流入口側端部及び冷媒流出側端部が共に同一方向に円弧部を介して直状に傾斜して設けられ、上記低圧側扁平管はＵ字状に屈曲されると共に、両端側の冷媒流入口側端部及び冷媒流出側端部が反対方向に円弧部を介して直状に傾斜して設けられ、上記高圧側扁平管が上記低圧側扁平管に対して内側に配置され、上記高圧側扁平管及び低圧側扁平管のそれぞれの冷媒流入口側端部及び冷媒流出口側端部がヘッダーパイプに設けられたスリットを介してヘッダーパイプ内に挿入され、上記高圧側扁平管の冷媒流入口側端部に接続されるヘッダーパイプと、上記低圧側扁平管の冷媒流出口側端部に接続されるヘッダーパイプが、略同一線上に位置して膨張弁に取付可能なコネクタによって連結され、上記高圧側扁平管の冷媒流出口側端部に接続されるヘッダーパイプと、上記低圧側扁平管の冷媒流入口側端部に接続されるヘッダーパイプが、略同一線上に位置して膨張弁に取付可能なコネクタによって連結され、上記高圧側扁平管、低圧側扁平管、ヘッダーパイプ及びコネクタがろう材を介して一体接合されてなり、上記高圧側扁平管及び低圧側扁平管の冷媒流入口側端部の上記ヘッダーパイプ内への差し込み量が、ヘッダーパイプの内径の１５％〜３５％であり、上記高圧側扁平管及び低圧側扁平管の厚さが８ｍｍ以下で、かつ、上記扁平管の厚さと幅の比が、１：４〜１：６であり、上記高圧側扁平管の屈曲半径（Ｒ）、上記高圧側扁平管の厚さ（ｔ１）及び上記低圧側扁平管の厚さ（ｔ２）との関係が、２．５≦Ｒ／（ｔ１＋ｔ２）／２≦４．５、かつ、１≦ｔ２／ｔ１≦３／２である、ことを特徴とする（請求項１）。
【００１１】
このように構成することにより、高圧側扁平管及び低圧側扁平管は予めＵ字状に屈曲され、曲げ加工によって屈曲部に歪みが蓄積されるが、予めＵ字状に屈曲された高圧側扁平管及び低圧側扁平管をろう付けする際の加熱による焼鈍効果により歪みが除去される。
【００１２】
この発明において、上記差し込み量が、ヘッダーパイプの内径の１５％より少ないと、扁平管の冷媒流路にろう材が流れ込んで目詰まりが生じる。また、差し込み量が、ヘッダーパイプの内径の３５％より大きいと、ヘッダーパイプから扁平管へ流入する部分では冷媒が乱流を起こして圧力損失が増大し、その圧力損失が、一般的な円形管によって生じる圧力損失を超えて増大する。
【００１３】
請求項１記載の発明によれば、扁平管の冷媒流路にろう材が流れ込んで目詰まりを生じることが無く、また、ヘッダーパイプから扁平管へ流入する部分の冷媒の乱流を抑制することができる。
【００１５】
また、この発明において、高圧側扁平管及び低圧側扁平管の厚さが８ｍｍを超えると、高圧側及び低圧側扁平管同士が接触する面から離れた位置に存在する冷媒が雰囲気温度と熱交換する等外乱が大きくなり、目標通りの熱交換性能を得ることが難しくなり、性能のバラツキが大きくなる。また、扁平管の厚さが幅の４倍より近いと外乱が大きくなって性能のバラツキが大きくなる。扁平管の厚さが幅の６倍より遠くなると、扁平管の各流路への冷媒の分流が上手くいかずに特定の流路に冷媒が集中し熱交換能力が下がる。
【００１６】
請求項１記載の発明によれば、熱交換性能のバラツキを抑制し、熱交換性能を安定させることができる。
【００１８】
また、この発明において、高圧側扁平管の屈曲半径（Ｒ）と高圧側扁平管の厚さ（ｔ１）及び低圧側扁平管の厚さ（ｔ２）との比率が２．５より小さい場合、比率が２．５より小さくなるほど扁平管外側の伸び率が高くなり、クラックや流路潰れが生じ圧力損失が増大する。また、上記比率が４．５より大きいと、サイズが巨大化し、加工効率が低下する。
【００１９】
請求項１記載の発明によれば、圧力損失を抑制することができると共に、装置の小型化及び加工効率の向上が図れる。
【００２０】
また、この発明において、上記高圧側扁平管に列設される冷媒流路の面積（Ａ１）と、上記低圧側扁平管に設けられる冷媒流路の面積（Ａ２）とが、１≦Ａ２／Ａ１≦４である方がよい（請求項２）。
【００２１】
上記面積比が１未満で低圧側扁平管に設けられる冷媒流路の面積（Ａ２）の方が大きくなってしまうと、同一冷媒質量の流量下で高圧側扁平管を基準にとった時、扁平管を通過しようとする冷媒の体積に対して流路断面積が小さいため、冷媒と扁平管の摩擦が増して圧力損失が増大し冷凍サイクルの効率を低下させる。また、低圧側扁平管を基準にとった時、高圧側扁平管の流路断面積が大きすぎて冷媒が体積膨張した分圧力低下を起こし、結果的に圧力損失を引き起こして冷凍サイクルの効率を低下させる。また、上記面積比が４を超えて高圧側扁平管に列設される冷媒流路の面積（Ａ１）が大きい場合は、上述とは逆のことが起こって冷凍サイクルの効率を低下させる。
【００２２】
また、この発明において、上記ヘッダーパイプはろう材がクラッドされている方が好ましい（請求項３）。これにより、ヘッダーパイプと高圧側及び低圧側扁平管とのろう付けを容易、かつ、確実にすることができる。
【発明の効果】
【００２３】
この発明は、上記のように構成されているので、以下のような効果が得られる。
【００２４】
（１）請求項１記載の発明によれば、高圧側扁平管及び低圧側扁平管は予めＵ字状に屈曲され、曲げ加工によって屈曲部に歪みが蓄積されるが、予めＵ字状に屈曲された高圧側扁平管及び低圧側扁平管の冷媒流入口側端部及び冷媒流出口側端部に接続されるヘッダーパイプがコネクタによって連結された状態で一体ろう付けすることができ、ろう付けする際の加熱による焼鈍効果により歪みは除去されるので、耐久性を向上し小型化を図ることができる。
【００２５】
（２）また、請求項１記載の発明によれば、扁平管の冷媒流路にろう材が流れ込んで目詰まりを生じることが無く、また、ヘッダーパイプから扁平管へ流入する部分の冷媒の乱流を抑制することができるので、更に冷媒の圧力損失を抑制することができると共に、熱交換効率の向上を図ることができる。
【００２６】
（３）また、請求項１記載の発明によれば、熱交換性能のバラツキを抑制し、熱交換性能を安定させることができるので、更に熱交換効率の向上を図ることができる。
【００２７】
（４）また、請求項１記載の発明によれば、更に圧力損失を抑制することができると共に、装置の小型化及び加工効率の向上が図れる。
【００２８】
（５）請求項２記載の発明によれば、上記（１）〜（４）に加えて更に内部熱交換器を備えた冷凍サイクルの効率の向上を図ることができる。
【図面の簡単な説明】
【００２９】
【図１】この発明に係る内部熱交換器の配管状態を示す概略構成図である。
【図２】この発明に係る内部熱交換器の一例を示す正面図である。
【図３】上記内部熱交換器の平面図である。
【図４】上記内部熱交換器の右側面図である。
【図５】図２のＩ部拡大図（ａ）及び図２のII部拡大図（ｂ）である。
【図６】この発明における高圧側扁平管と低圧側扁平管の屈曲部を示す拡大正面図である。
【図７】図２のIII−III線に沿う拡大断面図である。
【図８】この発明における高圧側扁平管の拡大断面図（ａ）及び低圧側扁平管の拡大断面図（ｂ）である。
【図９】上記高圧側扁平管と低圧側扁平管との接合前の状態を示す正面図である。
【図１０】この発明に係る内部熱交換器の配管構造の一例を示す配管図である。
【図１１】この発明に係る内部熱交換器の別の配管構造の例を示す配管図である。
【発明を実施するための形態】
【００３０】
以下に、この発明に係る内部熱交換器の実施形態を添付図面に基づいて詳細に説明する。ここでは、この発明に係る内部熱交換器を車両用空調装置の冷媒回路に適用した場合について説明する。
【００３１】
車両用空調装置は、低温側の熱を高温側に移動させて冷熱及び温熱を空調に利用するもので、図１に示すように、蒸発器１、圧縮機２、凝縮器３、膨張弁４が配管５によって冷媒を循環可能に接続される一般的な冷凍サイクルに、この発明に係る内部熱交換器６への冷媒の循環が付加されるものである。
【００３２】
車両用空調装置は、以下のように動作する。すなわち、蒸発器１から帰還された冷媒は、内部熱交換器６を介して圧縮機２に吸引されて高圧圧縮される。次いで、圧縮機２から吐出された冷媒は、凝縮器３に送られる。凝縮器３に送られた冷媒は、外気との間で熱交換されて液化して、内部熱交換器６を介して膨張弁４に至る。次いで、蒸発温度及び流量を電子制御可能な膨張弁４において、冷媒は減圧される。その後、冷媒は蒸発器１に至る。最後に、蒸発器１に供給された液体冷媒は、吸熱して気体冷媒となる。冷媒の吸熱によって蒸発器１を設けた空間が独立して冷却されることになる。そして、冷媒は、蒸発器１から内部熱交換器６を介して圧縮機２に吸引されて帰還して循環運転が繰り返される。
【００３３】
上記のように、凝縮器３と膨張弁４との間、蒸発器１と圧縮機２との間にこの発明に係る内部熱交換器６が接続されている。内部熱交換器６は上記冷凍サイクルの膨張弁４に流入する高圧側冷媒と圧縮機２に吸引される低圧側冷媒とを熱交換を行うためのものである。ここで、高圧側冷媒とは、凝縮器３の流出側から膨張弁４の流入側を流れる冷媒であり、また、低圧側冷媒とは、蒸発器１の流出側から圧縮機２の流入側を流れる冷媒である。
【００３４】
次に、内部熱交換器６について、図２ないし図９を参照して説明する。内部熱交換器６は、図９に示すように、それぞれ予めＵ字状に屈曲形成された高圧側扁平管１０と低圧側扁平管２０とを具備し、高圧側扁平管１０が低圧側扁平管２０に対して内側に配置されると共に、高圧側扁平管１０及び低圧側扁平管２０のそれぞれの冷媒流入口側端部１３，２３及び冷媒流出口側端部１４，２４のうちの少なくとも冷媒流入口側端部１３，２３がヘッダーパイプ３０Ａ〜３０Ｄに設けられたスリット３１を介してヘッダーパイプ３０Ａ〜３０Ｄ内に挿入された状態で、これら高圧側扁平管１０、低圧側扁平管２０及びヘッダーパイプ３０Ａ〜３０Ｄをろう付けしてなる。なお、ヘッダーパイプ３０Ａ〜３０Ｄには、ろう材がクラッドされているものを用いる方が好ましい。
【００３５】
この場合、高圧側扁平管１０の冷媒流入口側端部１３を接続するヘッダーパイプ３０Ａと、低圧側扁平管２０の冷媒流出口側端部２４を接続するヘッダーパイプ３０Ｄが取付孔４１を有するアルミニウム合金製のコネクタ４０によって垂直方向に配列されている。また、高圧側扁平管１０の冷媒流出口側端部１４を接続するヘッダーパイプ３０Ｂと、低圧側扁平管２０の冷媒流入口側端部２３を接続するヘッダーパイプ３０Ｃがコネクタ４０によって水平方向に配列されている。
【００３６】
上記高圧側扁平管１０と低圧側扁平管２０は、それぞれアルミニウム合金製押出形材にて形成されており、高圧側扁平管１０は、仕切壁１２を介して６個の冷媒流路１１が形成され、低圧側扁平管２０は、仕切壁２２を介して８個の冷媒流路２１が形成されている（図７及び図８参照）。なお、高圧側扁平管１０の冷媒流路１１の内壁面には凹凸細条が設けられている。このように凹凸細条を設けることによって接触面積を広げることができるので、熱伝達の効率を高めることができる。
【００３７】
また、高圧側扁平管１０は、Ｕ字状に屈曲された両端側の冷媒流入口側端部１３と冷媒流出口側端部１４は共に同一方向（図において左方向）に円弧部を介して直状に傾斜して設けられており、冷媒流入口側端部１３と冷媒流出口側端部１４はそれぞれヘッダーパイプ３０Ａ，３０Ｂに設けられたスリット３１を介してヘッダーパイプ３０Ａ，３０Ｂ内に挿入されている。
【００３８】
一方、低圧側扁平管２０は、Ｕ字状に屈曲された両端側の冷媒流入口側端部２３と冷媒流出口側端部２４は反対方向に円弧部を介して直状に傾斜して設けられており、冷媒流入口側端部２３と冷媒流出口側端部２４はそれぞれヘッダーパイプ３０Ｃ，３０Ｄに設けられたスリット３１を介してヘッダーパイプ３０Ｃ，３０Ｄ内に挿入されている。
【００３９】
この場合、高圧側扁平管１０の冷媒流入口側端部１３のヘッダーパイプ３０Ａ内の内への差し込み量Ｓ１は、ヘッダーパイプ３０Ａの内径Ｄ１の１５％〜３５％に設定されている（図５（ａ）参照）。また、低圧側扁平管２０の冷媒流入口側端部２３のヘッダーパイプ３０Ｃ内の内への差し込み量Ｓ２は、ヘッダーパイプ３０Ｃの内径Ｄ２の１５％〜３５％に設定されている（図５（ｂ）参照）。
【００４０】
上記のように、高圧側扁平管１０と低圧側扁平管２０の冷媒流入口側端部１３，２３のヘッダーパイプ３０Ａ，３０Ｃ内への差し込み量Ｓ１，Ｓ２をヘッダーパイプ３０Ａ，３０Ｃの内径Ｄ１，Ｄ２の１５％〜３５％に設定する理由は、表１に示す評価実験に基づくものである。
【００４１】
すなわち、ヘッダーパイプ内径に対する扁平管の差し込み量を１０％，１５％，２０％，２５％，３０％，３５％，４０％，５０％にし、扁平管の目詰まりの有無（○，×）と同面積円管を基準にした場合の圧力損失の増大の有無（○，×）について調べたところ、表１に示す結果が得られた。なお、実験では、車両時速１０Ｋｍ／ｈｒ相当の条件で行った。
【表１】
0005959209.tif 000002
【００４２】
上記結果より、差し込み量Ｓ１，Ｓ２が、ヘッダーパイプ３０Ａ，３０Ｃの内径Ｄ１，Ｄ２の１５％より少ないと、高圧側及び低圧側扁平管１０，２０の冷媒流路１１，２１にろう材が流れ込んで目詰まりが生じる。また、差し込み量Ｓ１，Ｓ２が、ヘッダーパイプ３０Ａ，３０Ｃの内径Ｄ１，Ｄ２の３５％より大きいと、ヘッダーパイプ３０Ａ，３０Ｃから高圧側及び低圧側扁平管１０，２０へ流入する部分では冷媒が乱流を起こして圧力損失が増大し、その圧力損失が、一般的な円形管によって生じる圧力損失を超えて増大することが判った。
【００４３】
また、本実施形態においては、高圧側扁平管１０の厚さｔ１及び低圧側扁平管２０の厚さｔ２が８ｍｍ以下で、かつ、両扁平管１０，２０の厚さｔ１，ｔ２と幅の比が、１：４〜１：６に設定されている。
【００４４】
上記のように、高圧側及び低圧側扁平管１０，２０の厚さｔ１，ｔ２を８ｍｍ以下にし、かつ、両扁平管１０，２０の厚さｔ１，ｔ２と幅の比を、１：４〜１：６に設定する理由は、表２、表３に示す評価実験に基づくものである。
【００４５】
すなわち、扁平管の厚さを２ｍｍ，５ｍｍ，７ｍｍ，８ｍｍ，１０ｍｍにした場合の熱交換性能のバラツキを調べたところ、表２に示すような結果が得られた。なお、実験では、車両時速１０Ｋｍ／ｈｒ相当の条件で行った。
【表２】
0005959209.tif 000003
【００４６】
上記結果より、扁平管１０，２０の厚さが８ｍｍを超えた１０ｍｍであると、高圧側及び低圧側扁平管同士が接触する面から離れた位置に存在する冷媒が雰囲気温度と熱交換する等外乱が大きくなり、目標通りの熱交換性能を得ることが難しくなり、性能のバラツキが大きくなることが判った。
【００４７】
次に、扁平管１０，２０の厚さｔ１，ｔ２と幅の比を、１：３，１：４，１：５，１：６，１：６，１：８にした場合の熱交換性能のバラツキを調べたところ、表３に示すような結果が得られた。なお、実験では、車両時速１０Ｋｍ／ｈｒ相当の条件で行った。
【表３】
0005959209.tif 000004
【００４８】
上記結果より、扁平管１０，２０の厚さｔ１，ｔ２と幅の比が１：４（４倍）より近い１：３であると外乱が大きくなって性能のバラツキが大きくなることが判った。また、扁平管１０，２０の厚さｔ１，ｔ２と幅の比が１：６（６倍）より遠い１：７や１：８になると、扁平管１０，２０の各流路への冷媒の分流が上手くいかずに特定の流路に冷媒が集中し熱交換能力が下がることが判った。
【００４９】
また、図６に示すように、高圧側扁平管１０の屈曲半径をＲとし、高圧側扁平管１０の厚さｔ１及び低圧側扁平管の厚さｔ２との関係で、扁平管の破損の有無（○、×）と加工効率やサイズの評価実験を行ったところ、表４，表５に示すような結果が得られた。
【００５０】
すなわち、Ｒ／（ｔ１＋ｔ２）／２が１，２，２．５，３，４，４．５，５，６の場合について扁平管の破損の有無（○、×）と加工効率・サイズの可否（○、×）について評価実験を行ったところ、表４に示すような結果が得られた。なお、実験では、車両時速１０Ｋｍ／ｈｒ相当の条件で行った。
【表４】
0005959209.tif 000005
【００５１】
上記結果より、高圧側扁平管の屈曲半径Ｒと高圧側扁平管１０の厚さｔ１及び低圧側扁平管２０の厚さｔ２との比率が２．５より小さい場合、比率が２．５より小さくなるほど扁平管外側の伸び率が高くなり、クラックや流路潰れが生じ圧力損失が増大することが判った。また、上記比率を４．５より大きくすると、加工が容易な形状となるが、サイズが巨大化する。また、所定の熱交換率で曲げＲを大きくすると、ヘッダーパイプ分岐のための曲げ加工が困難性を増し加工効率が低下することが判った。
【００５２】
次に、ｔ２／ｔ１が０．５，１，１．５，２，３の場合について高圧側扁平管１０（厚さｔ１）と低圧側扁平管２０（厚さｔ２）の破損の有無（○、×）について評価実験を行ったところ、表５に示すような結果が得られた。なお、実験では、車両時速１０Ｋｍ／ｈｒ相当の条件で行った。
【表５】
0005959209.tif 000006
【００５３】
上記評価実験の結果、高圧側扁平管１０の屈曲半径Ｒ、高圧側扁平管１０の厚さｔ１及び低圧側扁平管の厚さｔ２との関係は、２．５≦Ｒ／（ｔ１＋ｔ２）／２≦４．５、かつ、１≦ｔ２／ｔ１≦３／２である、ことが好ましいことが判った。
【００５４】
また、高圧側扁平管１０に列設される冷媒流路１１の面積（Ａ１）と、低圧側扁平管２０に設けられる冷媒流路２１の面積（Ａ２）との関係で、圧力損失の有無（○、×）を調べたところ、表６に示すような結果が得られた。
【００５５】
すなわち、高圧側扁平管１０に列設される冷媒流路１１の面積（Ａ１）と、低圧側扁平管２０に設けられる冷媒流路２１の面積（Ａ２）との面積比（Ａ２／Ａ１）が、０．５，１，１．５，２，２．５，３，３．５，４，５の場合についての圧力損失の有無（○、×）の評価実験を行ったところ、表６に示すような結果が得られた。
【００５６】
なお、実験では、車両時速１０Ｋｍ／ｈｒ相当の条件で行った。
【表６】
0005959209.tif 000007
【００５７】
上記評価実験の結果、上記面積比（Ａ２／Ａ１）が１よりも小さい０．５の場合と、上記面積比（Ａ２／Ａ１）が４よりも大きい５の場合において、圧力損失が生じることが判った。すなわち、上記面積比（Ａ２／Ａ１）が１よりも小さいと、同一冷媒質量の流量下で高圧側扁平管１０を基準にとった時、扁平管１０，２０を通過しようとする冷媒の体積に対して流路断面積が小さいため、冷媒と扁平管１０，２０の摩擦が増して圧力損失が増大し熱交換効率を低下させる。また、低圧側扁平管２０を基準にとった時、高圧側扁平管１０の流路断面積が大きすぎて冷媒が体積膨張した分圧力低下を起こし、結果的に圧力損失を引き起こして熱交換効率を低下させる。また、上記面積比（Ａ２／Ａ１）が４を超えて大きい場合は、上述とは逆のことが起こって熱交換効率を低下させることが判った。よって、１≦Ａ２／Ａ１≦４である方が好ましい。
【００５８】
上記実施形態の内部熱交換器６を作製するには、まず、図９に示すように、高圧側扁平管１０と低圧側扁平管２０を別々に屈曲してＵ字状に曲げ加工すると共に、高圧側扁平管１０と低圧側扁平管２０の両端部を上述のように傾斜状に屈曲して冷媒流入口側端部１３，２３と冷媒流出口側端部１４，２４を加工する。この場合、高圧側扁平管１０と低圧側扁平管２０を曲げ加工する方法として、例えばロールベンダーの方法がある。ロールベンダーとは、３本のロールを三角形に配置し、その間を通過する高圧側扁平管１０又は低圧側扁平管２０にロールを圧下、回転させることで連続的に曲げを与える方法である。
【００５９】
次に、図９に示すように、上記のようにしてＵ字状に曲げ加工された高圧側扁平管１０を低圧側扁平管２０に対して内側に配置する。そして、高圧側扁平管１０の冷媒流入口側端部１３をヘッダーパイプ３０Ａに設けられたスリット３１を介してヘッダーパイプ３０Ａ内に挿入し、高圧側扁平管１０の冷媒流出口側端部１４をヘッダーパイプ３０Ｂに設けられたスリット３１を介してヘッダーパイプ３０Ｂ内に挿入する。この際、高圧側扁平管１０の冷媒流入口側端部１３のヘッダーパイプ３０Ａ内への差し込み量Ｓ１は、ヘッダーパイプ３０Ａの内径Ｄ１の１５％〜３５％に設定される（図５（ａ）参照）。
【００６０】
また、低圧側扁平管２０の冷媒流入口側端部２３をヘッダーパイプ３０Ｃに設けられたスリット３１を介してヘッダーパイプ３０Ｃ内に挿入し、低圧側扁平管２０の冷媒流出口側端部２４をヘッダーパイプ３０Ｄに設けられたスリット３１を介してヘッダーパイプ３０Ｄ内に挿入する。この際、低圧側扁平管２０の冷媒流入口側端部２３のヘッダーパイプ３０Ｃ内の内への差し込み量Ｓ２は、ヘッダーパイプ３０Ｃの内径Ｄ２の１５％〜３５％に設定される（図５（ｂ）参照）。
【００６１】
次に、コネクタ４０によってヘッダーパイプ３０Ａと３０Ｄを連結し、コネクタ４０によってヘッダーパイプ３０Ｂと３０Ｃを連結した状態で、図示しない炉内に搬入して所定の温度で加熱して高圧側扁平管１０，低圧側扁平管２０及びヘッダーパイプ３０Ａ，３０Ｂ，３０Ｃ，３０Ｄを一体ろう付けして内部熱交換器６を作製する。
【００６２】
上記実施形態の熱交換器によれば、高圧側扁平管１０及び低圧側扁平管２０は予めＵ字状に屈曲され、曲げ加工によって屈曲部に歪みが蓄積されるが、予めＵ字状に屈曲された高圧側扁平管１０及び低圧側扁平管２０をろう付けする際の加熱による焼鈍効果により歪みが除去される。したがって、扁平管１０，２０を流れる冷媒の圧力損失を抑制することができ、小型で熱交換効率の向上を図ることができる。また、ヘッダーパイプ３０Ａ，３０Ｂ，３０Ｃ，３０Ｄは、ろう材がクラッドされているので、ろう付けを容易、かつ、確実にすることができる。
【００６３】
また、少なくとも高圧側扁平管１０及び低圧側扁平管２０の冷媒流入口側端部１３，２３のヘッダーパイプ３０Ａ，３０Ｃ内への差し込み量Ｓ１，Ｓ２は、ヘッダーパイプ３０Ａ，３０Ｃの内径Ｄ１，Ｄ２の１５％〜３５％に設定されているので、扁平管１０，２０の冷媒流路１１，２１にろう材が流れ込んで目詰まりを生じることが無く、また、ヘッダーパイプ３０Ａ，３０Ｃから扁平管１０，２０へ流入する部分の冷媒の乱流を抑制することができる。
【００６４】
なお、上記実施形態では、高圧側扁平管１０及び低圧側扁平管２０の冷媒流入口側端部１３，２３及び冷媒流出口側端部１４，２４をヘッダーパイプ３０Ａ〜３０Ｄに設けられたスリット３１を介してヘッダーパイプ３０Ａ〜３０Ｄ内に挿入して接合する場合について説明したが、少なくとも高圧側扁平管１０及び低圧側扁平管２０の冷媒流入口側端部１３，２３をヘッダーパイプ３０Ａ，３０Ｃに設けられたスリット３１を介してヘッダーパイプ３０Ａ，３０Ｃ内に挿入し、その差し込み量Ｓ１，Ｓ２が、ヘッダーパイプ３０Ａ，３０Ｃの内径Ｄ１，Ｄ２の１５％〜３５％に設定されていればよい。
【００６５】
また、上記実施形態の内部熱交換器６によれば、高圧側扁平管１０の冷媒流入口側端部１３を接続するヘッダーパイプ３０Ａと、低圧側扁平管２０の冷媒流出口側端部２４を接続するヘッダーパイプ３０Ｄがコネクタ４０によって連結され、高圧側扁平管１０の冷媒流出口側端部１４を接続するヘッダーパイプ３０Ｂと、低圧側扁平管２０の冷媒流入口側端部２３を接続するヘッダーパイプ３０Ｃがコネクタ４０によって連結されているので、取付孔４１を介して挿入される取付ねじ（図示せず）によってコネクタ４０を膨張弁４に直接取り付けることができる。
【００６６】
例えば、図１０に示すように、運転室ＣとエンジンＥを搭載するエンジンルームＥ．Ｒとの境界に配置される膨張弁４にコネクタ４０を介して内部熱交換器６を直接取り付け、運転室Ｃに配置される蒸発器１と、エンジンルームＥ．Ｒに配置される圧縮機２及び凝縮器３とを配管５を介して接続することができ、従来の取付工程と殆ど同じ作業で取り付けることができる。また、配管５を図１１に示すように代えることで、異なる車種に対応させることができる。
【符号の説明】
【００６７】
１  蒸発器
２  圧縮機
３  凝縮器
４  膨張弁
５  配管
６  内部熱交換器
１０  高圧側ヘッダーパイプ
１１  冷媒流路
１３  冷媒流入口側端部
１４  冷媒流出口側端部
２０  低圧側ヘッダーパイプ
２１  冷媒流路
２３  冷媒流入口側端部
２４  冷媒流出口側端部
３０Ａ〜３０Ｄ  ヘッダーパイプ
３１  スリット
４０  コネクタ
【図１】
0005959209.tif 000008
【図２】
0005959209.tif 000009
【図３】
0005959209.tif 000010
【図４】
0005959209.tif 000011
【図５】
0005959209.tif 000012
【図６】
0005959209.tif 000013
【図７】
0005959209.tif 000014
【図８】
0005959209.tif 000015
【図９】
0005959209.tif 000016
【図１０】
0005959209.tif 000017
【図１１】
0005959209.tif 000018